(57)【要約】  【課題】  円弧部に連続する直線部を有する橋梁を構築する工期の短縮及びコストの低減。  【解決手段】  複数の直線桁単位体を送り出し方向に連続状、且つ円弧に沿う送り出し方向に応じて連続形状を可変可能に連結して直線桁２を構成し、その直線桁２の連続形状を送り出し方向における円弧部Ｒに沿う形状に変形させて送り出して当該円弧部Ｒを通過させる動作を含む。  【選択図】  図５
2007211482.tif 000002
【特許請求の範囲】
【請求項１】
複数の直線桁単位体を送り出し方向に連続状、且つ円弧に沿う送り出し方向に応じて連続形状を可変可能に連結して直線桁を構成し、その直線桁２の連続形状を送り出し方向における円弧部に沿う形状に変形させて送り出して当該円弧部を通過させる動作を含む橋梁における橋桁の送り出し工法。
【請求項２】
隣接する各直線桁単位体同士を、送り出し方向における円弧に沿う形状となるように平面方向に回動可能に連結している請求項１に記載の橋梁における橋桁の送り出し工法。
【請求項３】
隣接する各直線桁単位体同士を、円弧の内側方向のコーナー部又はコーナー部付近で平面方向に回動可能に軸支する軸支部により連結している請求項１に記載の橋梁における橋桁の送り出し工法。
【請求項４】
隣接する直線桁単位体同士を、軸支部よりも円弧の外側方向で支持するとともに、直線桁単位体同士を離間・近接方向に回動させる可変支持手段を配設している請求項２又は３に記載の橋梁における橋桁の送り出し工法。
【請求項５】
隣接する直線桁単位体同士を、軸支部よりも円弧の外側方向で支持する支持手段を配設している請求項２又は３に記載の橋梁における橋桁の送り出し工法。
【発明の詳細な説明】
【技術分野】
【０００１】
本発明は、橋梁における橋桁の送り出し工法に関し、詳しくは、円弧部に連続する直線部を有する橋梁における橋桁の送り出し工法に関する。
【背景技術】
【０００２】
従来の円弧部に連続する直線部を有する橋梁を構築する工法として、例えば、円弧部を構築するカーブ桁単位体を円弧に沿って順次送り出して円弧部を構築後、直線桁単位体をクレーン等で吊り上げて前記円弧部に連続状に連結して直線部を構築することにより橋梁を構築する工法、又は、一方向からカーブ桁単位体を順次送り出して円弧部を構築する一方、他方向から直線桁単位体を順次送り出して直線部を構築し、各単位体の先頭を連結することにより橋梁を構築する方法がある。
【発明の開示】
【発明が解決しようとする課題】
【０００３】
しかしながら、前者の工法の場合、直線部を構築するのに、円弧部を構築するカーブ桁単体の送り出し作業とは、クレーン等を用いた全く異なる別工程となるため、各々の装置の配置や各々に配置する作業人員の確保を要し、作業時間の削減やコストの削減という点に関して不利である。
又、後者の工法の場合、カーブ桁単位体の送り出しと直線桁単位体の送り出しが別方向から夫々行うものであるため、各々の装置の配置や各々に配置する作業人員の確保を要するとともに、送り出しに必要な場所の確保を要し、作業時間の削減やコストの削減という点に関して不利であるのに加え、限られた場所での作業場所の確保が難しいものであった。
本願出願人は、円弧部に連続する直線部を有する橋梁を構築する工期の短縮及びコストの低減を行うと云う観点から、鋭意研究を行った結果、本発明に至ったものである
尚、円弧部に連続する直線部を有する橋梁を構築する工期の短縮及びコストの削減を行うと云う先行技術文献情報に関しては、本願出願人の知り得る範囲において存在しない。
【０００４】
本発明は、円弧部に連続する直線部を有する橋梁を構築する工期の短縮及びコストの低減を行うことを課題とし、この課題を解決した橋梁における橋桁の送り出し工法の提供を目的とする。
【課題を解決するための手段】
【０００５】
前記目的を達成するため、本発明が採用した第１発明は、複数の直線桁単位体を送り出し方向に連続状、且つ円弧に沿う送り出し方向に応じて連続形状を可変可能に連結して直線桁を構成し、その直線桁２の連続形状を送り出し方向における円弧部に沿う形状に変形させて送り出して当該円弧部を通過させる動作を含む送り出し工法である。
【０００６】
前記直線桁における連続形状の連結構成としては、例えば、第２発明のように、隣接する各直線桁単位体同士を、送り出し方向における円弧に沿う形状となるように平面方向に回動可能に連結した構成が挙げられる。
【０００７】
前記第２発明の具体的な構成として、例えば第３発明のように、隣接する各直線桁単位体同士を、円弧の内側方向のコーナー部又はコーナー部付近で平面方向に回動可能に軸支する軸支部により連結する構成が挙げられる。
【０００８】
前記第２発明及び第３発明の場合、直線桁単位体の重量を連結部分や軸支部に集中させないようにするとともに、直線桁単位体の回動停止位置の調節及び保持すると云う観点から、第４発明では、隣接する直線桁単位体同士を、軸支部よりも円弧の外側方向で支持するとともに、直線桁単位体同士を離間・近接方向に回動させる可変支持手段を配設した。
ここで云う可変支持手段は、例えば、隣接する直線桁単位体値に亘ってジャッキを配設し、当該ジャッキの伸縮を利用して直線桁単位体同士を離間・近接方向に回動させる手段や、隣接する直線桁単位体値に亘ってボールねじ構造を配設し、当該当該ボールねじの正逆回転により直線桁単位体同士を離間・近接方向に回動させる手段等が挙げられる。
【０００９】
又、第５発明では、前記軸支部を支えて直線桁単位体の重量を軸支部に集中させないようにするとともに、直線桁単位体の回動停止位置を保持すると云う観点から、隣接する直線桁単位体同士を、軸支部よりも円弧の外側方向で支持する支持手段を配設した。
ここで云う支持手段は、例えば、隣接する直線桁単位体間に配設されるスペーサーや杆状体等が挙げられ、円弧の大きさに合わせた直線桁単位体の任意の回動に応じた大きさ・形状・長さのものを配設する。
【発明の効果】
【００１０】
本発明の橋梁における橋桁の送り出し工法によれば、下記の優れた効果が期待できる。
第１発明によれば、直線桁を、その連続形状を送り出し方向における円弧に沿う形状に変形させて送り出すとともに、直線部へ至ると同時にその連続形状を順次直線状に戻す工法であるので、直線桁を一方向からの送り出しによって円弧部を経て直線部に至らせることができる。
したがって、円弧部に連続する直線部を有する橋梁を構築する工期の短縮及びコストの低減を達成することができる。
【００１１】
又、第２発明及び第３発明によれば、直線桁の連続形状を送り出し方向における円弧に沿う形状にする具体的な構成を提供できる。
又、第４発明によれば、前記軸支部を支えて直線桁単位体の重量を軸支部に集中させないようにするとともに、直線桁単位体の回動停止位置の調節及び保持することができ、第５発明によれば、前記軸支部を支えて直線桁単位体の重量を軸支部に集中させないようにするとともに、直線桁単位体の回動停止位置を保持することができる。
【発明を実施するための最良の形態】
【００１２】
以下、本発明の橋梁における橋桁の送り出し工法を実施するための最良の形態を図面に基づいて説明する。
本形態で例示する橋梁における橋桁の送り出し工法は、図６に示すように、ループ状を描く円弧部Ｒに連続して直線部Ｓを有する構成の橋梁Ａを構築する工法であり、基本的には、複数の直線桁単位体１を送り出し方向に連続状、且つ円弧に沿う送り出し方向に応じて連続形状を可変可能に連結して直線桁２を構成し、その直線桁２の連続形状を送り出し方向における円弧部Ｒに沿う形状に変形させて送り出して当該円弧部Ｒを通過させるとともに、直線桁２に連続して曲線桁３を順次連結して送り出す工法である。
【００１３】
又、本形態における送り出し工法で使用される送り出し装置（図示せず）は、例えば、各ピアＰに設置した水平送り装置の前後等に左右一対のガイド装置を設けるとともに、橋桁を前記ガイド装置でガイドすることによって、橋桁のウエブを水平送り装置で支持して送り出す装置等、通常使用されるものが使用できる。
又、本形態における橋梁Ａの構築順は、円弧部Ｒから直線部Ｓに至る順で構築するものであるが、本発明では、直線部Ｓから円弧部Ｒに至る順で構築するものでも良い。
尚、本形態では、図面を模式的に表している。
【００１４】
本形態の送り出し工法を具体的に説明すると、先ず、図１に示すように、組立ヤード（図示せず）で、複数の直線桁単位体１を送り出し方向に連続状、且つ円弧に沿う送り出し方向に応じて連続形状を可変可能に連結して直線桁２を構成する。
又、前記直線桁２は、例えば、組立てヤードの広さに対応した長さとして連結し、この長さの直線桁２を送り出し、不足があれば、直線桁単位体１を同様に連結した直線桁２を継ぎ足すように連結して送り出す。
【００１５】
ここで、直線桁単位体１同士の連結構造を説明すると、図２及び図３に示すように、送り出し方向に隣接する各直線桁単位体１の円弧部Ｒの内側に位置するコーナー部１１同士を軸支部の一例であるヒンジ４によって連結し、当該ヒンジ４を回転中心として連結された直線桁単位体１同士が水平方向に離間・近接するように回動可能にされた構造である。
又、送り出し方向に隣接する各直線桁単位体１の前記ヒンジ４の逆側のコーナー部１２付近には、直線桁単位体１同士の回動量を調節するとともに、その回動を規制する可変支持体の一例であるジャッキ５が、隣接する各直線桁単位体１に亘って配設されている。
すなわち、本形態の直線桁２の連続形状を円弧部Ｒの円弧に沿わす形状にするには、前記ジャッキ５を伸長し、各直線桁単位体１を目的の連続形状となるように円弧の内側方向に回動させ、目的の連続形状となった時点でジャッキ５の伸長動作を停止することにより、直線桁２の目的の連続形状が固定される。
【００１６】
前記のように構成した直線桁２は、図１に示すように、あらかじめ、その連続形状を円弧部Ｒの円弧に沿った形状にし、先頭の直線桁単位体１をピアＰ上に位置させ、送り出し装置によって送り出し、これを必要長さ分数の同様の直線桁２を継ぎ足しながら行う（第１工程）。
又、円弧Ｒの形状の変化に対しては、前記ジャッキを伸縮させることによって、直線桁２の連続形状をその円弧Ｒの形状に沿わせることができる。
尚、各ピアは、円弧部Ｒ及び直線部Ｓに沿って適宜立設されている。
【００１７】
次に、図４に示すように、最後尾に位置する直線桁２の後尾の直線桁単位体の後端に円弧部Ｒの円弧に沿った形状に構成された曲線桁３の先端を連結して送り出す（第２工程）。
【００１８】
更に、図５に示すように、先頭に位置する直線桁２の先頭の直線桁単位体１が直線部Ｓに至る際に、当該先頭の直線桁単位体１と、当該直線桁単位体１と隣接する直線桁単位体１とに亘って配設されたジャッキ５を収縮させることにより、先頭の直線桁単位体１を円弧の外側へ回動させて直線部Ｓに沿わせ、送り出される直線桁２の各直線桁単位体１を、前記したように、順次回動させて直線部Ｓに沿わせる（第３工程）。
【００１９】
最後に、図６に示すように、各直線桁単位体１同士を添接板（図示せず）によって連結固定するとともに、前記ヒンジ４やジャッキ５を取外すことによって橋梁Ａが構成される（第４工程）。
【００２０】
尚、本発明は、例示した実施の形態に限定するものでは無く、特許請求の範囲の各項に記載された内容から逸脱しない範囲の構成による実施が可能である。
例えば、本形態で例示した工法では、直線桁２の連続形状をあらかじめ円弧部の円弧に沿うような形状にして送り出すようにしたものであるが、本発明では、直線桁２を送り出しながら各直線桁単位体１を回動させて円弧部の円弧に沿わすようにしても良い。
又、本形態で例示した工法では、直線桁単位体の回動を規制するのに、その回動量を調節できる可変支持体を使用しているが、本発明では、可変支持体を使用せず、スペーサーや支持杆等の回動量を調節できないものを使用して直線桁単位体の回動を規制しても良い。
【図面の簡単な説明】
【００２１】
【図１】本発明に係る橋梁における橋桁の送り出し工法の一例を示す第１工程。
【図２】直線桁の要部拡大平面図。
【図３】図２の側面図。
【図４】本発明に係る橋梁における橋桁の送り出し工法の一例を示す第２工程。
【図５】本発明に係る橋梁における橋桁の送り出し工法の一例を示す第３工程。
【図６】本発明に係る橋梁における橋桁の送り出し工法の一例を示す第４工程。
【符号の説明】
【００２２】
１：直線桁単位体
２：直線桁
３：曲線桁
４：ヒンジ（軸支部）
５：ジャッキ（可変支持体）
１１：コーナー部
１２：コーナー部
Ｐ：ピア
Ｒ：円弧部
Ｓ：直線部
Ａ：橋梁
【図１】
2007211482.tif 000003
【図２】
2007211482.tif 000004
【図３】
2007211482.tif 000005
【図４】
2007211482.tif 000006
【図５】
2007211482.tif 000007
【図６】
2007211482.tif 000008